(57)【要約】【課題】従来技術におけるＰＤ光学シートの産業上の利用例は少ない。利用例を発明して、この問題の解決を課題とする。【解決手段】本発明は、ＰＤ線ならびにＰＤ光学シートにおける光線の各種漏出手段や多種多様な色調を有する粒の特徴や加法混色あるいは減法混色や入光させる光線色の時間的な変化に追従してＰＤ線やＰＤ光学シート自体の色調変化も現れる構造や各ケースのＰＤ光学シートに面する面にはミラー加工を施し、漏出した光線を反射させてＰＤ光学シートに再度入光させる構造を片面光源および両面を両面光源とする構造を手段とする。【選択図】図１
2019169482.tif 000002
【特許請求の範囲】
【請求項１】
ＰＤ光学シートの端面ならびに側面に配備される側面ケースは、1本以上のＰＤ線とＰＤ光学シートの端面ならびに側面を覆う様に配備されて、ＰＤ光学シートに面する内面にはＰＤ光学シートより漏出する光線を反射させて、ＰＤ光学シートに再度入光させるミラー加工を施した側面ケースの構造。
【請求項２】
側面ケースや裏面ケースで覆われるＰＤ光学シートおよびＰＤ線は、入光した光線の一部を外部に漏出させる手段のバブルや小さな粒や小さな粒に被覆を施した粒や有色透明な合成樹脂の滴などを配備した請求項１に記載のＰＤ光学シートおよびＰＤ線の構造。
【請求項３】
側面ケースのみで覆われるＰＤ光学シートおよびＰＤ線あるいは側面ケースと裏面ケースで覆われるＰＤ光学シートおよびＰＤ線は、入光した光線の一部を外部に漏出させる手段のバブルや小さな粒や小さな粒に被覆を施した粒や有色透明な合成樹脂の滴などを配備したＰＤ光学シートおよびＰＤ線の構造により加法混色および減法混色の現象を自在に調光し、さらにＰＤ線に入光される光線の調光を時間の経過とともに光量や色調を変化させると追従してＰＤ光学シートの調光も追従して変化する請求項１および２のいずれかに記載のＰＤ光学シートおよびＰＤ線の構造。
【請求項４】
ＰＤ光学シートの端面ならびに側面に配備される側面ケースおよび裏面ケースにおいて、側面ケースは、1本以上のＰＤ線とＰＤ光学シートの端面ならびに側面を覆う様に配備されて、裏面ケースは、ＰＤ光学シートの裏面全体を覆うように配備されて、ＰＤ光学シートに面する内面にはＰＤ光学シートより漏出する光線を反射させて、ＰＤ光学シートに再度入光させるミラー加工を施した側面ケースおよび裏面ケースを構成要素とする請求項１より３のいずれかに記載のＰＤ線とＰＤ光学シートの構造。
【請求項５】
側面ケースのみ、あるいは側面ケースと裏面ケースで覆われるＰＤ線ならびにＰＤ光学シートに入光させる光線は、ＹＡＧレーザーやファイバーレーザーなどの各種レーザー光線（粒の種類は無色透明で反応しない材質）、ならびに各波長域の紫外線、ならびに各波長の赤外線および遠赤外線、ならびに各種波長域の可視光線などであり、各種の光線が複合されても良い請求項１より４のいずれかに記載のＰＤ線ならびにＰＤ光学シートの構造。
【請求項６】
室内ならびに屋外の壁面に配備される巾木および廻り縁には、側面ケースと裏面ケースと1本以上のＰＤ線と1枚以上のＰＤ光学シートにより構成されて、ＰＤ光学シートとＰＤ線の加法混色ならびに減法混色により多種多様な調光が出来る巾木および廻り縁を構成する請求項１より５のいずれかに記載のＰＤ光学シートとＰＤ線の構造。
【請求項７】
側面ケースと各側面ケースに覆われるＰＤ光学シートとＰＤ線により構成される両面光源となるバックライトや平面照明などは、表面および裏面に有色透明なポスターや有機ＥＬや液晶の素材を配備して１枚のバックライトで同時に両面の２つの素材を駆動可能な請求項１より６のいずれかに記載のＰＤ光学シートとＰＤ線の構造。およびＰＤ光学シートおよびＰＤ線の構造により加法混色および減法混色の現象を自在に調光し、さらにＰＤ線に入光される光線の調光を時間の経過とともに光量や色調を変化させると追従してＰＤ光学シートの調光も追従して変化する請求項１より６のいずれかに記載のＰＤ光学シートおよびＰＤ線の構造。および両面光源となるバックライトや平面照明などの構成要素の請求項１より６のいずれかに記載のＰＤ光学シートおよびＰＤ線の構造。
【請求項８】
１本あるいは複数本のＰＤ線と１枚のＰＤ光学シートとミラー加工を施した複数のケースにより構成された両面光源の１つのバックライトは、両面の有機ＥＬや液晶やポスターなどのディスプレイやポスターなどを駆動する特徴を有する構造であり、請求項１より７のいずれかに記載の記載のＰＤ光学シートおよびＰＤ線の構造。
【請求項９】
室内ならびに屋外の壁面に配備される巾木および廻り縁には、側面ケースと裏面ケースと1本以上のＰＤ線と1枚以上のＰＤ光学シートにより構成されて、ＰＤ光学シートとＰＤ線の加法混色ならびに減法混色により多種多様な調光が出来る巾木および廻り縁を屋内および屋外の避難誘導標識とする構成要素としての請求項6に記載のＰＤ光学シートとＰＤ線の構造。
【請求項１０】
明細書に記載の不図示の本発明の応用例の全応用例の内容において請求項１より８のいずれかに記載のＰＤ光学シートおよびＰＤ線の構造を応用した応用例の構造。
【発明の詳細な説明】
【技術分野】
【０００１】
本発明は、全ての特許文献１より１７に記載の文献に適用します。また、全ての特許文献１より１７に記載の文献記載内容を適用応用や引用を致します。
【０００２】
特に、特許文献１７  ＰＤ１７ＳＨ３の明細書の不足を補いました。図面は同じものを引用しております。両面光源についての図面と簡易な説明を加えました。
【０００３】
また、本発明は、全ての特許文献１より１７に記載のＰＤ（ＰＤＯＣＪ）線やＰＤ（ＰＤＯＣＪ）光学シートに入光させた光線の一部をＰＤ線およびＰＤ光学シート外部へ漏出させる光線漏出手段とした気泡やガラスや人工ダイアモンドなどの小さな粒や有色透明な合成樹脂の滴や当該の小さな粒では色が少ないので、ガラスや人工ダイアモンドなどの小さな粒の表面に有色透明な合成樹脂などを塗布や蒸着などにより被覆を施して、多種多様な有色透明な粒を配備するＰＤ線ならびにＰＤ（ＰＤＯＣＪ）光学シートの産業上の利用例に関する。
【０００４】
本発明は、特許文献１６および１７に記載の加法混色あるいは減法混色の構造を利用したＰＤ光学シートを産業上への利用例に関する。
【０００５】
また、ＰＤ光学シートより漏出した光線が、無駄にならないようにＰＤ光学シートの裏面や端面や側面などに取り付ける各種ケースのＰＤ光学シートに面する面には、漏出光線を反射させて再度ＰＤ光学シートに入光させるミラー加工を施し、光源となるＰＤ線も当該のミラー加工面とＰＤ光学シートとの間に配備されている巾木などの利用例の構造に関する。
【０００６】
さらに、当該のＰＤ光学シートの片面のみを光源とする利用例の構造に関する。
【０００７】
さらに、当該のＰＤ光学シートの両面を光源とする利用例の構造に関する。（裏面のケースは配備しない。）
【０００８】
本発明のＰＤ光学シートの利用例とした巾木や廻り縁をフットライトや誘導標識とするＰＤ光学シートの構造に関する。ライトとして用い、
【０００９】
建造物の屋内ならびに屋外における廊下および通路の床と廊下および通路の壁の境に配備される本発明の巾木は、壁に接着剤や取り付けネジなどで固定を行い、巾木自体に片面光源の構造として、床や通路のフットライトの光源ととして使用する。このフットライトは、ＰＤ線に入光する光線の調光制御において時間と共に自由自在に変化させて、追従変化をする調光制御可能な構造となっている。
【００１０】
また表面に誘導方向を示す有色あるいは無色透明な矢印（矢印部のみ不透明でも可）などを印刷などの描写方法で描いたフィルムやプレートやシートなどをＰＤ光学シートの表面に貼り付けて誘導方向を示して誘導標識などとする構造に関する。誘導標識以外の通常の案内坂などの標識として用いる。さらに、天井と室内外壁の境に配備される廻り縁も同様な構造となっている。
【００１１】
本発明の各種利用例の構造に関する。
【００１２】
本発明の片面光源ならびに両面光源とするＰＤ光学シートの片面ならびにに両面に有色透明なポスターなどを配備し、ＰＤ光学シートの加法混色あるいは減法混色によりポスターなどの光源を自由自在に多種多様な調光が可能なＰＤ光学シートの構造に関する。なお、ＰＤ線に入光する光線の色調や光線量を時間と共に変化させると、追従してＰＤ光学シート自体の色調や光線量が追従変化する構造となっています。さらに、表面に配備したポスターなどの色調と兼ね合わされて、多種多様なポスターなどとすることが出来る構造となっています。
【００１３】
本発明のＰＤ線ならびにＰＤシートに入光させる光線は、ＹＡＧレーザーやファイバーレーザーなどの各種レーザー光線（粒の種類は無色透明で反応しない材質）、ならびに各波長域の紫外線、ならびに各波長の赤外線および遠赤外線、ならびに各種波長域の可視光線などであり、各種の光線が複合されても良いＰＤ線ならびにＰＤ光学シートの構造に関します。本発明のＰＤ光学シートの光源となるＰＤ線に入光させる光線は、可視光線である構造に関する。
【００１４】
本発明のＰＤ線ならびにＰＤ光学シートの材質は、石英ガラスやＢＫ7や特殊ガラスや各種の合成樹脂類であり、ＰＤシートに入光させる光線の種類により最適な材質と出来るＰＤ線ならびにＰＤ光学シートの構造に関します。
【００１５】
本発明のＰＤ線およびＰＤ光学シートに入光させる光線の入光色自体を調光して変化させることにより、変化に伴いＰＤ線ならびにＰＤ光学シートの色調が略追従して変化するＰＤ線およびＰＤ光学シートの構造に関する。
【００１６】
本発明は、液晶や有機ＥＬのバックライトとして用いる他に、宣伝ポスター掲示板のバックライトとするＰＤ線およびＰＤ光学シートの構造に関する。
【００１７】
本発明は略多種多様な有色透明な粒の構造により、ＰＤ線ならびにＰＤ光学シートにおいて加法混色あるいは減法混色を行い多種多様な色調を有するＰＤ線ならびにＰＤ光学シートの構造に関する。
【００１８】
なお、ＰＤ光学シートやＰＤ線などに使用するＰＤの２文字ならびにＰＤＯＣＪの５文字は、  Ｐｒｅｓｅｎｔ  Ｄｒｅａｍ  Ｏｕｒ  Ｃｈｉｌｄｒｅｎ  ａｌｌ-ｏｖｅｒ  Ｊａｐａｎ   より命名しました。本シリーズの先行文献と同様です。
【背景技術】
【００１９】
従来技術におけるＰＤ光学シートでは、産業上の利用例は若干存在しているが、利用例が少な過ぎている。
【先行技術文献】
【特許文献】
【００２０】
【特許文献１】特願２０１７−０９２０５９  始まり
【特許文献２】特願２０１７−１００４３７  追加
【特許文献３】特願２０１７−１１５５１８  追加２
【特許文献４】特願２０１７−１４３１４１  追加３
【特許文献５】特願２０１７−２０３００６  追加４
【特許文献６】特願２０１７−２０８６９８  追加５
【特許文献７】特願２０１８−０００９０１  追加６
【特許文献８】特願２０１８ー０８７９３０  追加７
【特許文献９】特願２０１８−１２０３１０    ＰＤ８
【特許文献１０】特願２０１８−１２０３１５  ＰＤ１０
【特許文献１１】特願２０１８−１７３１４６  ＰＤ１１
【特許文献１２】特願２０１８−１９０５３０  ＰＤ１２
【特許文献１３】特願２０１８−２０２３８２  ＰＤ１３
【特許文献１４】特願２０１８−２０７８２４  ＰＤ１４
【特許文献１５】特願２０１８−２１９８３４  ＰＤ１５ＳＨ１
【特許文献１６】特願２０１９−０８７２１６  ＰＤ１６ＳＨ２
【特許文献１７】特願２０１９−１１５９４８  ＰＤ１７ＳＨ３
【発明の概要】
【発明が解決しようとする課題】
【００２１】
背景技術を鑑みて、従来技術におけるＰＤ光学シートの産業上の利用例は少ない。利用例を発明して、この問題の解決を課題とする。
【００２２】
また、１枚のバックライトで両面に配備したポスターや液晶や有機ＥＬなどのバックライトとなるものは見かけることが事が少ない。
【課題を解決するための手段】
【００２３】
本発明では、特許文献中に記載のＰＤ線ならびにＰＤ光学シートにおける光線の各種漏出手段としたバブルや小さな粒や補修用針先状の凹みを漏出手段する以外に、有色透明な合成樹脂の滴自体を小さな粒ならびに小さな粒の表面に有色透明な合成樹脂などを塗布などにより被覆して多種多様な色調を有する粒とする手段を講じた。
【００２４】
さらに、先行技術の小さな粒としたガラスや人工ダイアモンドは、自体の色調も数少ないので、この不足を補う為にガラスや人工ダイアモンドの小さな粒の表面に有色透明な合成樹脂などを塗布や蒸着させることにより、被覆色と小さな粒自体の色が合わさることにより多種多様な色調を有する粒の特徴を有する構造となり、当該構造を手段とする。
【００２５】
次に、当該の構造により、ＰＤ線ならびにＰＤ光学シート内部で粒の色調と入光光線の色調を利用して、ＰＤ線内部ならびにＰＤ光学シートにおいて、加法混色あるいは減法混色の現象を生じさせて、多種多様な色調を有するＰＤ線ならびにＰＤ光学シートの構造を手段とする。
【００２６】
その上、入光させる光線色の時間的な変化に追従してＰＤ線やＰＤ光学シート自体の色調変化も現れる構造を有するＰＤ線ならびにＰＤ光学シートを手段とした。
【００２７】
さらに、ＰＤ光学シートの光源としない面において、その面より漏出する光線を外部に漏らすこと無く有効に利用する上で各ケースのＰＤ光学シートに面する面にはミラー加工を施し、漏出した光線を反射させてＰＤ光学シートに再度入光させる構造を手段とした。
【００２８】
また、ＰＤ光学シートの表側のみを片面光源とする構造を手段とした。
【００２９】
また、ＰＤ光学シートの両面を両面光源とする構造を手段とした。
【００３０】
また、室内の巾木や廻り縁へ応用では、片面光源であるＰＤ光学シートの構造を手段とした。
【００３１】
また、本発明の巾木や廻り縁には、ＰＤ光学シートの特徴である加法混色あるいは減法混色の構造をフットライトとしての照明や壁面照明や誘導標識への手段とした。
【００３２】
また、片面光源ならびに両面光源とするＰＤ光学シートの特徴を利用して、片面あるいは両面に有色透明なポスターや有機ＥＬや液晶を配備して、これらのバックライトとするＰＤ光学シートの構造を手段とした。
【００３３】
さらに、ＰＤ光学シートの加法混色あるいは減法混色と、有機ＥＬや液晶ならびに有色透明なポスターと併せて二重の各混色が行える構造を手段とした。
【発明の効果】
【００３４】
本発明では、先行技術の特許文献にはない加法混色ならびに減法混色を手段とした事により多種多様な応用例を創出出来ました。片面光源の場合には、巾木や廻り縁ならびに案内坂や飛行機や電車内やバス内などの壁面ポスターや間仕切り板やステレオや車載のメーターや車などの移動体に用いるブレーキランプやウインカーなどのバックライトとなる。
【００３５】
また、各種の壁面照明や案内坂や誘導灯などのバックライトとして使用可能です。さらに、室内外の多種多様な色調を有する壁面装飾やデコトラなどの装飾用や電車あるいは航空機あるいはバスの内部や外部の装飾用のバックライトとなります。さらに、高層建造物に航空機などへの警告標識ならびに灯などのバックライトあるいは照明用具となる。各所構造物の天井用の照明源となったり床面の照明源となったり壁面照明源となったりと多くの応用例を生み出します。さらには宇宙船や船内外の照明源や装飾用の光源も同様です。
【００３６】
さらに、アミューズメントなどの各種照明源や各種のバックライトなどへの応用も可能です。変わったものには、劇場などの緞帳などへの応用も可能です。さらに、玩具類の装飾ならびに装飾用のバックライト（先行文献に記述あり）と子供の安全警告表示などへ利用出来ます。一般生活に用いる照明源や各種バックライトや装飾用光源などに応用が可能です。
【００３７】
特に、使用する光線のハロゲンランプ光などでは、面ヒーターとして用いることも可能です。さらに、紫外線の光線は、先行文献に記載の各種治療ならびに除菌殺菌への利用も可能です。また、空気や水や血液などの気体や液体の除菌殺菌フィルターとしての利用も可能です。さらに、水耕栽培の照明源とすることも同様に可能です。また、ハロゲンランプ光色と粒などの混色により、面ヒーターの放射される光線色は、従来のハロゲンランプ色とは異なる放射光色と出来ます。例えば、オレンジ色と他の色の混色により生じさせることの出来る色調です。
【００３８】
次に、両面光源は、片面光源同様に多種多様な応用が可能です。一例として、事務所内の空間ならびに展示場やアミューズメントなどの空間間仕切り坂として、両面にポスターや注意警告や案内などを貼り付けて、表面および裏面の双方向に別々のポスターを貼り付けた間仕切り板とすることも可能です。その他、タクシーの屋根の会社名板なども十分利用可能です。
【００３９】
当該の発明の利用例を参考に、多分野の多種製品群の創出に寄与する効果が有ります。
なお、
先行文献には記述のないものでも、当業者のみならず一般生活者でも生活空間で日常見かける全てのバックライトを含む照明源などに応用が出来ることは理解出来るので不図示とします。一例として、スマホのバックライトなどであり、スマホの両面表示用のバックライトへの応用が可能です。
【図面の簡単な説明】
【００４０】
【図１】片面光源巾木の全体斜視図
【図２】片面光源巾木の組み立て全体斜視図
【図３】片面光源巾木のＣーＣ断面図
【図４】片面光源ＣーＣ断面ミラー加工面図
【図５】片面光源巾木のＢーＢ断面図
【図６】片面光源Ｂ−Ｂ断面ミラー加工面図
【図７】両面光源ＣーＣ断面図
【図８】両面光源ＣーＣ断面ミラー加工面図
【図９】両面光源巾木のＢーＢ断面図
【図１０】両面光源ＢーＢ断面ミラー加工面図
【図１１】両面光源巾木ならびにポスターならびに液晶の全体斜視図
【図１２】両面光源巾木ならびにポスターならびに液晶の全体Ｄ−Ｄ断面図
【発明を実施するための形態】
【００４１】
本発明に使用のＰＤ線ならびにＰＤ光学シートは、全ての特許文献１より１７に記載のＰＤ線ならびにＰＤ光学シートを適用します。さらに、本発明のＰＤ線ならびにＰＤ光学シート構造を全ての特許文献へ適応します。また、全ての特許文献に記載の明細ならびに図面を引用して若干の変更を加えて使用します。
【００４２】
さらに、本発明におけるＰＤ光学シートの端面ならびに側面に配備される側面ケースは、1本以上のＰＤ線とＰＤ光学シートの端面ならびに側面を覆う様に配備されて、ＰＤ光学シートに面する内面にはＰＤ光学シートより漏出する光線を反射させて、ＰＤ光学シートに再度入光させるミラー加工を施した側面ケースの構造を特徴とする形態をしています。
【００４３】
さらに、側面ケースや裏面ケースで覆われるＰＤ光学シートおよびＰＤ線は、入光した光線の一部を外部に漏出させる手段のバブルや小さな粒や小さな粒に被覆を施した粒や有色透明な合成樹脂の滴などを配備したＰＤ光学シートおよびＰＤ線の構造を特徴とする形態をしています。
【００４４】
さらに、側面ケースのみで覆われるＰＤ光学シートおよびＰＤ線あるいは側面ケースと裏面ケースで覆われるＰＤ光学シートおよびＰＤ線は、入光した光線の一部を外部に漏出させる手段のバブルや小さな粒や小さな粒に被覆を施した粒や有色透明な合成樹脂の滴などを配備したＰＤ光学シートおよびＰＤ線の構造により加法混色および減法混色の現象を自在に調光し、さらにＰＤ線に入光される光線の調光を時間の経過とともに光量や色調を変化させると追従してＰＤ線ならびにＰＤ光学シートの調光も追従して変化するＰＤ光学シートおよびＰＤ線の構造を特徴とする形態をしています。
【００４５】
さらに、ＰＤ光学シートの端面ならびに側面に配備される側面ケースおよび裏面ケースにおいて、側面ケースは、1本以上のＰＤ線とＰＤ光学シートの端面ならびに側面を覆う様に配備されて、裏面ケースは、ＰＤ光学シートの裏面全体を覆うように配備されて、ＰＤ光学シートに面する内面にはＰＤ光学シートより漏出する光線を反射させて、ＰＤ光学シートに再度入光させるミラー加工を施した側面ケースおよび裏面ケースを構成要素とするＰＤ線とＰＤ光学シートの構造を特徴とする形態をしています。また、裏面ケースを配備しない両面光源となるＰＤ線とＰＤ光学シートの構造を特徴とする形態をしています。
【００４６】
さらに、側面ケースのみ、あるいは側面ケースと裏面ケースで覆われるＰＤ線ならびにＰＤ光学シートに入光させる光線は、ＹＡＧレーザーやファイバーレーザーなどの各種レーザー光線（小さな粒ならびに粒の種類は無色透明で反応しない材質）、ならびに各波長域の紫外線、ならびに各波長の赤外線および遠赤外線、ならびに各種波長域の可視光線などであり、各種の光線が複合されても良いＰＤ線ならびにＰＤ光学シートの構造を特徴とする形態をしています。
【００４７】
また、本発明のＰＤ線ならびにＰＤ光学シートの材質は、石英ガラスやＢＫ7や特殊ガラスや各種の合成樹脂類であり、ＰＤシートに入光させる光線の種類により最適な材質と出来るＰＤ線ならびにＰＤ光学シートの構造を形態としています。
【００４８】
また、２１より２５ならびに３１の各ケースの材質は、金属や合成樹脂や炭素繊維の材質であり、これらの複合材質です。また、ミラー加工を施すことの出来る材質で有れば新しい材質でも可能な構造を有する形態をしています。
【００４９】
さらに、室内ならびに屋外の壁面に配備される巾木および廻り縁には、側面ケースと裏面ケースと1本以上のＰＤ線と1枚以上のＰＤ光学シートにより構成されて、ＰＤ光学シートとＰＤ線の加法混色ならびに減法混色により多種多様な調光が出来る巾木および廻り縁を構成するＰＤ光学シートとＰＤ線の構造を特徴とする形態をしています。
【００５０】
さらに、側面ケースと各側面ケースに覆われるＰＤ光学シートとＰＤ線により構成される両面光源となるバックライトや平面照明などは、表面および裏面に有色透明なポスターや有機ＥＬや液晶の素材を配備して１枚のバックライトで同時に両面の２つの素材を駆動可能なＰＤ光学シートとＰＤ線の構造を特徴とする形態をしています。
【００５１】
また、ＰＤ光学シートおよびＰＤ線の構造により加法混色および減法混色の現象を自在に調光し、さらにＰＤ線に入光される光線の調光を時間の経過とともに光量や色調を変化させると追従してＰＤ光学シートの調光も追従して変化するＰＤ光学シートおよびＰＤ線の構造を特徴とする形態をしています。
【００５２】
また、両面光源となるバックライトや平面照明などの構成要素のＰＤ光学シートおよびＰＤ線の構造を特徴とする形態をしています。
【００５３】
さらに、室内ならびに屋外の壁面に配備される巾木および廻り縁には、側面ケースと裏面ケースと1本以上のＰＤ線と1枚以上のＰＤ光学シートにより構成されて、ＰＤ光学シートとＰＤ線の加法混色ならびに減法混色により多種多様な調光が出来る巾木および廻り縁を屋内および屋外の避難誘導標識とする構成要素としてのＰＤ光学シートとＰＤ線の構造を特徴とする形態をしています。
【００５４】
さらに、有機ＥＬや液晶のバックライトや有色透明なポスターのバックライトとしての利用例は、次のような実施例が推測出来ます。電車車内の壁面広告や吊り広告の片面光源ならびに両面光源としてのバックライトやステレオなどの音響機器のディスプレイのバックライトや屋内および屋外広告の片面および両面光源バックライトや移動体のメーター類のバックライトやデコトラおよびバスおよび電車および飛行機などの室内壁ならびに室外壁の化粧および広告のバックライトなどへ応用利用する本発明の各種構造を特徴とする形態をしています。（不図示です。）
【００５５】
さらに、建築物の内壁ならびに外壁の装飾や壁面照明などへ応用利用する本発明の各種構造を特徴とする形態をしています。（先行文献中に掲載のため不図示です。）
【００５６】
さらに、通信機器の電話やファックスやスマホなどの各種バックライトなどへ応用利用する本発明の各種構造を特徴とする形態をしています。（先行文献中に掲載のため不図示です。）
【００５７】
さらに、玩具の装飾や子供達の安全を守るランドセルなどに応用する注意喚起の標識などの各種バックライトなどへ応用利用する本発明の各種構造を特徴とする形態をしています。（先行文献中に掲載のため不図示です。）
【００５８】
さらに、ＰＤ治療法の各種医療機器に使用するＰＤ光学シートなどの各種バックライトなどならびにＰＤ線へ応用利用する本発明の各種構造を特徴とする形態をしています。（先行文献中に掲載のため不図示です。）
【００５９】
さらに、各種エアーフィルターや除菌殺菌フィルターなどの各種バックライトなどへ応用利用する本発明の各種構造を特徴とする形態をしています。（先行文献中に掲載のため不図示です。）
【００６０】
さらに、水耕栽培の面照明源などの各種バックライトなどへ応用利用する本発明の各種構造を特徴とする形態をしています。（先行文献中に掲載のため不図示です。）
【００６１】
さらに、アミューズメントなどの装飾用のバックライトや緞帳などの各種バックライトなどへ応用利用する本発明の各種構造を特徴とする形態をしています。（先行文献中に掲載のため不図示です。）
【００６２】
さらに、其の他の生活用品の装飾や部分照明などの各種バックライトなどへ応用利用する本発明の各種構造を特徴とする形態をしています。（先行文献中に掲載のため不図示です。）
【００６３】
さらに、給食や食品大量生産場の壁面に使用して、光線に紫外線を用いて、場内の除菌殺菌などの各種バックライトや照明源ならびに常勤殺菌光源などへ応用利用する本発明の各種構造を特徴とする形態をしています。ただし、有害な効果も併せ持っている紫外線よ作業者の安全を守る紫外線対策は必須事項です。（先行文献中に掲載のため不図示です。）
【００６４】
さらに、無菌室などの殺菌にも同様に使用出来ます。
【００６５】
さらに、宇宙船内壁に用いた室内照明のバックライトや宇宙船ならびに航空機外壁に配備する注意警告灯などの各種バックライトなどへ応用利用する本発明の各種構造を特徴とする形態をしています。（先行文献中に掲載のため不図示です。）
【００６６】
さらに、高層ビルや鉄塔などの外壁に注意警告灯などの各種バックライトなどへ応用利用する本発明の各種構造を特徴とする形態をしています。（不図示です。）
【００６７】
さらに、ハロゲンヒーターの面熱源は、光線に赤外線や遠赤外線を応用利用する本発明の各種構造を特徴とする形態をしています。（先行文献中に掲載のため不図示です。）
【００６８】
其の他の一例として、スマホの両面表示用のバックライトとして応用する。従来のスマホは表側のみにディスプレイ有りますが、本発明の両面光源を利用して、表側以外に裏側ディスプレイ用のバックライトとして、１枚のＰＤ光学シートにより両面の有機ＥＬや液晶などのディスプレイを駆動出来ます。このような両面表示可能なスマホなどに両面光源のＰＤ光学シートを用いた構造も出来ます。（当業者や技術者に知識により容易に推察できますので不図示ならびに詳細は省略です。）
【００６９】
其の他として、一般生活空間に使用する各種バックライトや各種照明源および産業上の各種照明源の構造を特徴とする形態をしています。（先行文献中に掲載のため不図示です。）
【実施例】
【００７０】
本発明の実施例として、建造物の屋内ならびに屋外における廊下および通路の床と廊下および通路の壁の境に配備される巾木は、壁に接着剤や取り付けネジなどで固定を行い、巾木自体に片面光源の構造として、床や通路のフットライトの光源ととして使用、あるいは、ＰＤ線に入光する光線の調光制御において時間と共に自由自在に変化させて、追従変化をする調光制御可能な構造となっている巾木ならびに廻り縁を例とします。
【００７１】
本発明のＰＤ線ならびにＰＤ光学シートの構造について、図面を参照して実施例を説明します。図１は、片面光源巾木の全体斜視図を図示しています。図２は、片面光源巾木の組み立て全体斜視図を図示しています。図３は、片面光源巾木のＣーＣ断面図を図示しています。図４は、片面光源ＣーＣ断面ミラー加工面図を図示しています。図５は、片面光源巾木のＢーＢ断面図を図示しています。図６は、片面光源Ｂ−Ｂ断面ミラー加工面図を図示しています。図７は、両面光源ＣーＣ断面図を図示しています。図８は、両面光源ＣーＣ断面ミラー加工面図を図示しています。図９は、両面光源巾木のＢーＢ断面図を図示しています。図１０は、両面光源ＢーＢ断面ミラー加工面図を図示しています。
【００７２】
つぎに、 図１１は、両面光源巾木ならびにポスターならびに液晶の全体斜視を図示してます。図１２は、両面光源巾木ならびにポスターならびに液晶の全体断面図を図示しています。
【００７３】
ここで、図面上の符号についての説明をします。１は、ＰＤ光学シートであり、特許文献１６までに記述されている光学シートの一種です。３は、ＰＤ線（光源）でありシート同様に特許文献１７までに記述されているＰＤ線の一種です。３−１より３−６は、個別あるいは１本のＰＤ線でも数種類のＰＤ線でも可能なＰＤ線を表しています。５は、小さな粒や粒やバブルや合成樹脂粒であり、ガラスや人工ダイアモンドや小さな粒の表面に有色透明な合成樹脂などを被覆した粒ならびに合成樹脂の滴などです。入光した光線の一部の光線を外部に漏出させる手段となります。
【００７４】
また、９は、ＰＤ線（光源）配備溝を表しており特許文献１６に同様な記述が有ります。９−１は、側面ＰＤ線（光源）配備溝を表しており、側面側に配備する９同様の溝です。２１より２５は、側面ケースを表しています。３１は、裏面ケースでありＰＤ光学シートに裏面側に配備されて、片面光源とする平板等です。４０は、ミラー加工施工面を表示しています。８０は、表側漏出光線であり、９０は、裏側漏出光線を表しています。
【００７５】
また、図３および図５より８０の表側漏出光線のみで有り、裏面は３１により覆われているので、図１および図２は片面光源となる巾木や廻り縁やバックライトなどで有ることが分かります。
【００７６】
また、図７および図９では、３１が配備されないので、８０ならびに９０が漏出光線であり、両面光源となるバックライトなどを表しています。
【００７７】
また、図１１および図１２において、１０１は、表側ポスターや液晶などなどであり、ＰＤ光学シート１よりの表側漏出光線８０が１０１の表側ポスターや液晶などを透過して目視出来る表側可視光線であり、８０と１０１が加法混色や減法混色されて目視できる。つぎに、１０３は、裏側ポスターや液晶などあり、光線９０が１０３の裏側ポスターや液晶などを透過して目視出来る裏側可視光線であり、９０と１０３が加法混色や減法混色されて目視できる。これが、両面光源とするＰＤ光学シートを用いたバックライトの構造である。
【００７８】
ここで、１０１および０３のポスターや液晶などは、８０および９０の光線を透過するあるいは遮断する塗料などにより絵や文字などが描かれている必要がある。基材は、液晶や有機ＥＬやアクリルなどの有色透明あるいは無色透明な合成樹脂製などである。また、各種の複合材料を使用しても可能です。
【００７９】
なお、液晶や有機ＥＬの場合には、ＰＤ光学シート１と１０１ならびに１０３の間に、各種の光学的な補助フィルムやプレートやシートが配備されることが推察出来ますが、支障は有りません。
【００８０】
なお、当該の実施例は、片面光源巾木ならびに両面光源巾木を一例に説明します。なお、断面図等では説明に必要な線分のみを図示し、省略部分も有ります。
【００８１】
図１は、図２のように全体が組み立てられる片面光源巾木を展開させた斜視図です。図３は、図２のＣ−Ｃ断面図を図示しています。図４は、図３におけるＣ−Ｃ断面の各ケース内面に施されるミラー加工施工面を図示しています。同様に図５は、Ｂ−Ｂ断面図を図示しています。図６は、図５におけるＢ−Ｂ断面の各ケース内面に施されるミラー加工施工面を図示しています。ここで、２３および２４の側面ケースは平板を選択されていますが、２１および２２の側面ケースのようにコの字型に折り曲げても良い。
【００８２】
図７は、図１ならびに図２において、３のＰＤ線は１本のみ図示されていますが、１本のＰＤ線３を３−１のＰＤ線３−１と３−２のＰＤ線３−２と３−３のＰＤ線３−３と３−４のＰＤ線３−４と３−５のＰＤ線３−５と３−６のＰＤ線３−６の６本が断面上で現れる複数のＰＤ線が図示されております。３−１より３−６はそれぞれ独立した６本のＰＤ線でも支障はなく、また、１本のＰＤ線３をグルグル周回させても、３−１が３−４に折り返して来ても支障は有りません。３−２および３−３についても同様です。また、それぞれをＲ線およびＧ線およびＢ線の三原色のＰＤ線とすることも可能です。
【００８３】
なお、複数本のＰＤ線が周回する場合や折り返してくる場合には、図１において、２３と２４の側面ケースが面する１のＰＤ光学シートの側面にも９−１のＰＤ線（光源）配備溝が配備されます。図９に図示の９−１です。さらに、３−１より３−４へ、ならびに３−２より３−５へ、３−３−より３−６のそれぞれの３本は、入光させる光線を各々ＲＧＢの三種とし、３−１をＲ線、３−２をＧ線、３−３をＢ線として、各三本を各々調光することによりＰＤ光学シートの調光を行えます。したがって、各々Ｒ線Ｇ線Ｂ線に入光させる光線を時間的に変化させると、それに追従してＰＤ光学シート１の調光が変わります。先行文献１６にその構造などは記述されています。
【００８４】
次に、図８は、両面光源ＣーＣ断面ミラー加工面図を図示しています。２１および２２の１のＰＤ光学シートに面する内面には４０のミラー加工がミラー加工施工面に施されています。
【００８５】
図９は、両面光源巾木のＢーＢ断面図を図示しています。ここで、ＰＤ光学シート１の２３および２４の面する側面には９−１が配備されます。この９−１にも図７と同様に、３−１−より３−６が配備されています。ここで、２３および２４の側面ケースは平板を選択されていますが、２１および２２の側面ケースのようにコの字型に折り曲げても良い。
【００８６】
図１０は、図９に配備される２３および２４の側面ケースのＰＤ光学シート１に面する４０のミラー加工施工面にミラー加工が施されます。説明図で有り、省略した図面上の線分は有ります。
【００８７】
つぎに、本発明に使用のＰＤ線３ならびにＰＤ光学シート１は、全ての特許文献１より１６に記載のＰＤ線ならびにＰＤ光学シートを適用します。
【００８８】
ＰＤ光学シート１の端面ならびに側面に配備される２１と２２と２３と２４と２５の側面ケースは、1本以上のＰＤ線３とＰＤ光学シート１の端面ならびに側面を覆う様に配備されて、ＰＤ光学シート１に面する内面にはＰＤ光学シート１より漏出する光線を反射させて、ＰＤ光学シート１に再度入光させるミラー加工を施した４０のミラー加工施工面を各側面ケースの内面に有する特徴を有する構造となっています。
【００８９】
２１より２５の側面ケースや３１の裏面ケースで覆われるＰＤ光学シート１およびＰＤ線３は、入光した光線の一部を外部に漏出させる手段のバブルや小さな粒や小さな粒に被覆を施した粒や有色透明な合成樹脂の滴などを配備したＰＤ光学シート１およびＰＤ線３の構造をしている。
【００９０】
２１より２５の側面ケースのみで覆われるＰＤ光学シート１およびＰＤ線３あるいは各側面ケースと裏面ケース３１で覆われるＰＤ光学シート１およびＰＤ線３は、入光した光線の一部を外部に漏出させる手段のバブルや小さな粒や小さな粒に被覆を施した粒や有色透明な合成樹脂の滴などを配備したＰＤ光学シート１およびＰＤ線３の構造により加法混色および減法混色の現象を自在に調光し、さらにＰＤ線３に入光される光線の調光を時間の経過とともに光量や色調を変化させると追従してＰＤ光学シート１の調光も追従して変化するＰＤ光学シートおよびＰＤ線の構造をしている。
【００９１】
ＰＤ光学シート１の端面ならびに側面に配備される２１より２５の側面ケースおよび３１の裏面ケースにおいて、各側面ケースは、1本以上のＰＤ線３とＰＤ光学シート１の端面ならびに側面を覆う様に配備されて、裏面ケース３１は、ＰＤ光学シート１の裏面全体を覆うように配備されて、ＰＤ光学シート１に面する内面にはＰＤ光学シート１より漏出する光線を反射させて、ＰＤ光学シート１に再度入光させるミラー加工を施した２１より２５の側面ケースおよび裏面ケース３１を構成要素とするＰＤ線とＰＤ光学シートの構造をしています。なお、１の裏面ケースを配備しない両面光源の場合も有ります。
【００９２】
２１より２５の側面ケースのみ、あるいは各側面ケースと裏面ケース３１で覆われるＰＤ線３ならびにＰＤ光学シート１に入光させる光線は、ＹＡＧレーザーやファイバーレーザーなどの各種レーザー光線（粒の種類は無色透明で反応しない材質）、ならびに各波長域の紫外線、ならびに各波長の赤外線および遠赤外線、ならびに各種波長域の可視光線などであり、各種の光線が複合されても良いＰＤ線ならびにＰＤ光学シートの構造をしています。
【００９３】
室内ならびに屋外の壁面に配備される巾木および廻り縁には、２１より２５の側面ケースと裏面ケース３１と1本以上のＰＤ線３と1枚以上のＰＤ光学シート１により構成されて、ＰＤ光学シート１とＰＤ線３の加法混色ならびに減法混色により多種多様な調光が出来る巾木および廻り縁を構成するＰＤ光学シートとＰＤ線の構造をしている。
【００９４】
２１より２５の側面ケースと各側面ケースに覆われるＰＤ光学シート１とＰＤ線３により構成される両面光源となるバックライトや平面照明などは、表面および裏面に有色透明なポスターや有機ＥＬや液晶の素材を配備して１枚のバックライトで同時に両面の２つの素材を駆動可能なＰＤ光学シートとＰＤ線の構造をしている。
【００９５】
および、ＰＤ光学シート１およびＰＤ線３の構造により加法混色および減法混色の現象を自在に調光し、さらにＰＤ線３に入光される光線の調光を時間の経過とともに光量や色調を変化させると追従してＰＤ光学シート１の調光も追従して変化するＰＤ光学シートおよびＰＤ線の構造をしている。
【００９６】
および、両面光源となるバックライトや平面照明などの構成要素のＰＤ光学シートおよびＰＤ線の構造をしている。このことは、１枚のＰＤ光学シートで両面に配備したポスターや液晶や有機ＥＬのバックライトとなり得ます。スマホなどに両面ディスプレイを装備する場合に有効な必須バックライトとなります。また、車内の中吊り広告において１枚のバックライトで両面のポスターなどを駆動するバックライトとなります。
【００９７】
室内ならびに屋外の壁面に配備される巾木および廻り縁には、２１より２５の側面ケースと裏面ケース３１と1本以上のＰＤ線３と1枚以上のＰＤ光学シート１により構成されて、ＰＤ光学シート１とＰＤ線３の加法混色ならびに減法混色により多種多様な調光が出来る巾木および廻り縁を屋内および屋外の避難誘導標識とする構成要素としてのＰＤ光学シートとＰＤ線の構造をしている。
【００９８】
次に、今までの実施例の応用として、
有機ＥＬや液晶のバックライトや有色透明なポスターのバックライトとしての利用例は、次のような実施例が推測出来ます。電車車内の壁面広告や吊り広告の片面光源ならびに両面光源としてのバックライトやステレオなどの音響機器のディスプレイのバックライトや屋内および屋外広告の片面および両面光源バックライトや移動体のメーター類のバックライトやデコトラおよびバスおよび電車および飛行機などの室内壁ならびに室外壁の化粧および広告のバックライトなどへ応用利用する本発明の各種構造をしています。（不図示です。）
【００９９】
次に、今までの実施例の応用として、
建築物の内壁ならびに外壁の装飾や壁面照明などへ応用利用する本発明の各種構造を特徴とする構造をしています。（先行文献中に掲載のため不図示です。）
【０１００】
次に、今までの実施例の応用として、
通信機器の電話やファックスやスマホなどのディスプレイの各種バックライトなどへ応用利用する本発明の各種構造を特徴とする構造をしています。（先行文献中に掲載のため不図示です。）
【０１０１】
次に、今までの実施例の応用として、
玩具の装飾や子供達の安全を守るランドセルなどに応用する注意喚起の標識などの各種バックライトなどへ応用利用する本発明の各種構造を特徴とする構造をしています。（先行文献中に掲載のため不図示です。）
【０１０２】
次に、今までの実施例の応用として、
ＰＤ治療法の各種医療機器し使用するＰＤ光学シートなどの各種バックライトなどへ応用利用する本発明の各種構造を特徴とする構造をしています。（先行文献中に掲載のため不図示です。）
【０１０３】
次に、今までの実施例の応用として、
、各種エアーフィルターや除菌殺菌フィルターなどの各種バックライトなどへ応用利用する本発明の各種構造を特徴とする構造をしています。（先行文献中に掲載のため不図示です。）
【０１０４】
次に、今までの実施例の応用として、
水耕栽培の面照明源などの各種バックライトなどへ応用利用する本発明の各種構造を特徴とする構造をしています。（先行文献中に掲載のため不図示です。）
【０１０５】
次に、今までの実施例の応用として、
アミューズメントなどの装飾用のバックライトや緞帳などの各種バックライトなどへ応用利用する本発明の各種構造を特徴とする構造をしています。（先行文献中に掲載のため不図示です。）
【０１０６】
次に、今までの実施例の応用として、
其の他の生活用品の装飾や部分照明などの各種バックライトなどへ応用利用する本発明の各種構造を特徴とする構造をしています。（先行文献中に掲載のため不図示です。）
【０１０７】
次に、今までの実施例の応用として、
給食や食品大量生産場の壁面に使用して、光線に紫外線を用いて、場内の除菌殺菌などの各種バックライトなどへ応用利用する本発明の各種構造を特徴とする構造をしています。ただし、作業者の紫外線対策は必須事項です。（先行文献中に掲載のため不図示です。）
【０１０８】
次に、今までの実施例の応用として、
宇宙船内壁に用いた室内照明のバックライトや宇宙船ならびに航空機外壁に配備する注意警告灯などの各種バックライトなどへ応用利用する本発明の各種構造を特徴とする構造をしています。（先行文献中に掲載のため不図示です。）
【０１０９】
次に、今までの実施例の応用として、
高層ビルや鉄塔などの外壁に注意警告灯などの各種バックライトなどへ応用利用する本発明の各種構造を特徴とする構造をしています。（不図示です。）
【０１１０】
次に、今までの実施例の応用として、
ハロゲンヒーターの面熱源は、光線に赤外線や遠赤外線を応用利用する本発明の各種構造を特徴とする構造をしています。（先行文献中に掲載のため不図示です。）
【０１１１】
次に、今までの実施例の応用として、
其の他として、一般生活空間に使用する各種バックライトや各種照明源および産業上の各種照明源の構造を特徴とする構造をしています。（先行文献中に掲載のため不図示です。）
【０１１２】
次に、両面光源とするバックライトとして用いる場合の実施例を簡単に説明します。
其の他の一例として、スマホの両面表示用のバックライトとして応用する。従来のスマホは表側のみにディスプレイ有りますが、本発明の両面光源を利用して、表側以外に裏側ディスプレイ用のバックライトとして、１枚のＰＤ光学シートにより両面の有機ＥＬや液晶などのディスプレイを駆動出来ます。このような両面表示可能なスマホなどに両面光源のＰＤ光学シートを用いた構造も出来ます。（当業者や技術者に知識により容易に推察できますので不図示ならびに詳細は省略です。）
【産業上の利用可能性】
【０１１３】
以上に記述した内容により産業上の利用可能性を推察すると、本発明の各構造は、さらに多くの産業上の製品群を多分野に渡り創出できる可能性を秘めています。
【０１１４】
つぎに、以上に利用する各種の調光制御には、TRON仕様のOSなどを使用することも十分考慮されます。
【０１１５】
つぎに、
同様に、各種調光制御回路に用いる基板や基板に変わる回路形成手段として、当該発明者により提案されているラップワイヤーなどを手段とすることも十分考慮可能です。従って、本発明に必要な技術は全て国産技術にて開発可能で有る。
【０１１６】
このことは、海外の技術が短期間でバージョンアップすることには影響を受けること無く国内の技術ペースで自由に開発される可能性が濃厚であります。したがって、全ての面で国内のペースで世界に国産技術ならびに国産技術に管理された高品質な多分野に渡る製品群を世界に展開可能となる隠れた利点が考察出来ます。
【符号の説明】
【０１１７】
１      ＰＤ光学シート
３      ＰＤ線（光源）
３−１      ＰＤ線３−１
３−２      ＰＤ線３−２
３−３      ＰＤ線３−３
３−４      ＰＤ線３−４
３−５      ＰＤ線３−５
３−６      ＰＤ線３−６
５      小さな粒や粒やバブルや合成樹脂粒
９      ＰＤ線（光源）配備溝
９−１      側面ＰＤ線（光源）配備溝
２１      側面ケース
２２      側面ケース  
２３      側面ケース
２４      側面ケース
２５      側面ケース
３１      裏面ケース    
４０      ミラー加工施工面
８０      表側漏出光線
８１      表側画像光線
９０      裏側漏出光線
９１      裏側画像光線
１０１    表側ポスターや液晶など
１０３    裏側ポスターや液晶など
【図１】
2019169482.tif 000003
【図２】
2019169482.tif 000004
【図３】
2019169482.tif 000005
【図４】
2019169482.tif 000006
【図５】
2019169482.tif 000007
【図６】
2019169482.tif 000008
【図７】
2019169482.tif 000009
【図８】
2019169482.tif 000010
【図９】
2019169482.tif 000011
【図１０】
2019169482.tif 000012
【図１１】
2019169482.tif 000013
【図１２】
2019169482.tif 000014